(57)【要約】      （修正有）【課題】超音波変換器を損傷させるリスクなしで動作をより簡単にするように構成された、超音波生成源を提供する。【解決手段】前方において放射面を有する超音波変換器を含むボディを備えた超音波生成源であって、ボディは、筒状壁（６）によって規定された開口（５）であって、該開口（５）に向かって超音波変換器の放射面が面するように設けられた開口（５）を含み、筒状壁（６）の外面には、螺子組み合わせシステムの少なくとも１つの筋（１７）であって、ボディに可撓膜（８）を固定する固定リング（１５）、保護カバー、または、位置合わせシステムが取り付けられたリング、のいずれかにおける少なくとも１つの相補的な筋（１６）と協働する少なくとも１つの筋（１７）が設けられている、超音波生成源。【選択図】図３
2019162414.tif 000002
【特許請求の範囲】
【請求項１】
前方において放射面（４）を有する超音波変換器（３）を含むボディ（２）を備えた超音波生成源であって、前記ボディ（２）は、筒状壁（６）によって規定された開口（５）であって、該開口（５）に向かって前記超音波変換器（３）の前記放射面（４）が面するように設けられた開口（５）を含み、前記筒状壁（６）の外面には、螺子組み合わせシステムの少なくとも１つの筋（１７）であって、前記ボディに可撓膜（８）を固定する固定リング（１５）、保護カバー（３０）、または、位置合わせシステム（３６）が取り付けられたリング（３５）、のいずれかにおける少なくとも１つの相補的な筋（１６）と協働する少なくとも１つの筋（１７）が設けられている、超音波生成源。
【請求項２】
前記筒状壁（６）の端部には環状リム（６ａ）が設けられており、前記環状リム（６ａ）に前記可撓膜（８）が押し当てられる、請求項１に記載の超音波生成源。
【請求項３】
前記固定リング（１５）は、前記可撓膜（８）の一部が通過する中央通路（１９）を有し、前記固定リング（１５）は、前記ボディに対して螺子留めされたとき、前記可撓膜（８）を、前記ボディ（２）にシール態様で押圧された状態で固定する、請求項１または請求項２に記載の超音波生成源。
【請求項４】
前記固定リング（１５）には、前記固定リング（１５）における螺子留めの際に回転させられるのが防止されるよう前記固定リング（１５）に対して自由に回転するように取り付けられたワッシャ（２１）が設けられ、前記ワッシャは、前記固定リング（１５）が前記ボディ（２）に螺子留めされたとき、前記可撓膜（８）に押圧力を及ぼす、請求項１〜３のいずれか一項に記載の超音波生成源。
【請求項５】
前記固定リング（１５）が前記ボディ（２）に螺子留めされたとき、前記ワッシャ（２１）は、前記可撓膜（８）に押圧力が及ぶよう横方向の動きの自由が制限された状態で、前記固定リング（１５）に取り付けられる、請求項４に記載の超音波生成源。
【請求項６】
前記ワッシャ（２１）は、Ｃ形状領域である環状凹部（２２）の内側において前記固定リング（１５）内で固定される、請求項４または請求項５に記載の超音波生成源。
【請求項７】
前記ワッシャ（２１）には、前記可撓膜（８）に接触したシーリングガスケットが取り付けられる、請求項４〜６のいずれか一項に記載の超音波生成源。
【請求項８】
前記ワッシャ（２１）は、ポリテトラフルオロエチレンでできている、請求項４〜７のいずれか一項に記載の超音波生成源。
【請求項９】
前記筋（１７）または前記相補的な筋（１６）は、連続的な要素の形状を有していてもよく、または、スタッドのような不連続的な要素の形状を有していてもよい、いずれかの先行する請求項に記載の超音波生成源。
【請求項１０】
前記ボディ（２）の前記筋（１７）は、保護カバー（３０）の相補的な筋（１６）と協働する、先行する請求項１に記載の超音波生成源。
【請求項１１】
前記ボディ（２）の前記筋（１７）は、特に較正工程における使用に適した位置合わせシステム（３６）が取り付けられたリング（３５）の前記相補的な筋（１６）と協働する、請求項１に記載の超音波生成源。
【請求項１２】
螺子組み合わせシステムの少なくとも１つの筋（１７）が外面に設けられた筒状壁（６）を有するボディを備えた請求項１〜１１のいずれか一項に記載の超音波生成源を備えた超音波生成組み合わせ体であって、前記組み合わせ体は、さらに、装備品として、可撓膜を固定する固定リング（１５）、保護カバー（３０）、および、位置合わせシステム（３６）が取り付けられたリング（３５）を備え、各装備品は、前記生成源の前記ボディの前記筒状壁（６）の前記筋（１７）と協働する相補的な筋（１６）を含む、組み合わせ体。
【請求項１３】
請求項１〜１１のいずれか一項に記載の超音波生成源（１）を含むことを特徴とする、超音波処理装置。
【発明の詳細な説明】
【技術分野】
【０００１】
本発明は、超音波を生成し治療の分野で使用される源を含む装置（apparatuses or devices）の技術分野に関し、人体の解剖学的構造の超音波検査画像を生成するための超音波プローブに関連付けられ得る。
【０００２】
本発明の具体的な有利な適用例は、高密度焦点式超音波（ＨＩＦＵ）を生成する源を含む治療器の分野である。
【０００３】
本発明の別の具体的な有利な適用例は、砕石術の処理を行うために体内における固体の結石を破壊する器具であって、音響衝撃波のような、腎臓、胆汁または唾液の結石（concretions or calculi）を破壊する超音波圧力波を生成する源を備えた器具の分野である。
【背景技術】
【０００４】
一般的には、超音波を生成する源は、電気エネルギーを機械エネルギーに変換する音響変換器を取り付ける取り付けボディ（mounting body）を備える。その前方に向かって、超音波変換器は、放射面を有する。放射面は、音響結合および／または冷却流体を閉じ込める閉じ込めチャンバを規定する可撓膜と協働する。従来、可撓膜は、各回の使用後に交換可能とするために、漏れ止め性を有しかつ取り外し可能な固定システムを用いることによって、ボディの環状支持体に取り付けられる。
【０００５】
典型的には、可撓膜は、弾性リングによって環状支持体に取り付けられ、弾性リングは、膜が漏れ止め態様で支持体に取り付けられるのに十分な復帰力を発揮し、一方で、リングを容易に装着できるようにする力を発揮した状態で、手作業により配置され得る。実のところ、可撓膜を取り付ける作業を、環状支持体の周縁部全体で閉じ込めチャンバの良好なシール性が得られるように行うことは、比較的困難である。さらに、弾性リングを配置することの困難性を考慮すると、上記の取り付け作業では、作業者が不注意により圧力を加えることによって、超音波変換器が損傷することがある。
【０００６】
特許出願ＥＰ２３２７４５０には、超音波を生成するためのプローブであって、ＨＩＦＵ変換器が取り付けられたＨＩＦＵヘッドを覆う取り外し可能な可撓膜を含むものが記載されている。プローブには、膜とＨＩＦＵヘッドとの間の取り外し可能な固定を実現する接続手段が設けられている。接続手段は、膜の内側に形成された環状溝であって、ＨＩＦＵヘッドの外側に形成された外周リブに嵌合可能なものを含む。さらに、膜およびＨＩＦＵヘッドの間に閉じ込められた冷却流体のシール性および流路が得られるように、膜は、その内側面において、ＨＩＦＵヘッドを押圧する３つの周縁リブを含む。
【０００７】
可撓膜を取り付ける作業では、溝がヘッドのリブに嵌合するように、膜が弾性変形することが必要であることに留意されたい。たとえ膜がプルタブを有していたとしても、ＨＩＦＵヘッドの周縁部全体における良好なシール性が得られるように膜を配置するには、無視できない手作業による力を加えることが必要であるが、その力は調整困難である。
【０００８】
超音波検査プローブの分野では、文献ＵＳ２０１５／０１８２２００には、ケーブルによってコネクタに接続されたプローブヘッドを有し、プローブヘッドとコネクタの間で冷却流体を循環させる冷却システムを有する超音波検査プローブが記載されている。冷却システムは、ポンプによって生成されるものであり超音波画像の品質を害するものである流体圧力パルスを減衰させる減衰器を含む。この振動減衰器は、一方側で冷却流体保持チャンバを規定し、他方側で閉じた空気チャンバを規定するように取り付けられた可撓膜を備える。２つのチャンバの間のシール性は、筐体と、該筐体の内側に螺子留めされたリングと、の間に挟まれた膜の圧縮によって得られる。冷却流体のパルスは、可撓膜が機械的に変形することによって吸収される。
【０００９】
上記の文献では、プローブのヘッドの説明に関して記載されておらず、取り付け装置に関しては、あるにしても、超音波変換器に対して冷却流体を閉じ込める閉じ込めチャンバを規定する取り外し可能な膜を取り付けるものに過ぎない。
【発明の概要】
【００１０】
先行技術の分析により、道具に頼りにしたり実行困難な作業を行うことを必要としたりすることなく可撓膜を装着可能な超音波プローブを有することを可能とすること対する必要性が存在することは明らかである。さらに、膜を保持する筐体の開口付近に配置された超音波変換器には、膜が配置されるときおよび超音波プローブが使用されていないときに損傷するリスクがある。従って、効果的であり配置するのが簡単なシステムによって、プローブの使用時および不使用時の両方においてプローブの超音波変換器を保護できることに対する必要性も存在する。
【００１１】
超音波プローブに対して較正作業が行われ、較正作業では超音波ビームの位置合わせのために用いられる位置合わせシステムが必要であることに留意されたい。超音波ビームに対してそのような位置合わせシステムを配置する問題に加え、較正作業は、超音波変換器を損傷させるリスクなしで行われる必要がある。
【００１２】
本発明は、超音波を生成する新規な源であって該源の使用時において行われるべき種々の動作が最適化されるように構成されたものを提案することによって、従来技術の欠点を緩和することを目的とする。
【００１３】
本発明の目的は、超音波変換器を損傷させるリスクなしで以下の動作をより簡単にするように構成された、超音波を生成する新規な源を提案することである：
-音響結合および／または冷却流体を閉じ込める可撓膜を装着する；
-プローブの不使用時において、超音波保護体を保護する；および
-超音波変換器を較正する。
【００１４】
これらの目的を達成するために、本発明の超音波生成源は、前方において放射面を有する超音波変換器を含むボディを備え、ボディは、筒状壁によって規定された開口であって、該開口に向かって超音波変換器の放射面が面するように設けられた開口を含み、筒状壁の外面には、螺子組み合わせシステムの少なくとも１つの筋であって、ボディに可撓膜を固定する固定リング、保護カバー、または、位置合わせシステムが取り付けられたリング、のいずれかにおける少なくとも１つの相補的な筋と協働する少なくとも１つの筋が設けられている。
【００１５】
源が超音波を生成するのに用いられる本発明の実施形態では、源には、音響結合および／または冷却流体を閉じ込めるための可撓膜が取り付けられる必要がある。この実施形態では、本発明のプローブは、可撓膜の一部が通過する中央通路を有する固定リングを含み、固定リングは、ボディに対して螺子留めされたとき、可撓膜を、ボディにシール態様で押圧された状態で固定する。
【００１６】
この実施形態では、ボディの筒状壁の端部には環状リムが設けられており、環状リムに可撓膜が押し当てられる（bears）。
【００１７】
有利な変形実施形態によれば、固定リングには、固定リングにおける螺子留めの際に回転させられるのが防止されるよう固定リングに対して自由に回転するように取り付けられたワッシャが設けられ、ワッシャは、固定リングがボディに螺子留めされたとき、可撓膜に押圧力を及ぼす。そのような装置により、しわがない膜が筐体に取り付けられる。
【００１８】
さらに、本発明の超音波生成源は、以下の追加の特徴の１つおよび／または複数を併せて含んでいてもよい：
-固定リングがボディに螺子留めされたとき、ワッシャは、可撓膜に押圧力が及ぶよう横方向の動きの自由（freedom to move laterally）が制限された状態で、固定リングに取り付けられる；
-ワッシャは、Ｃ形状領域である環状凹部の内側において固定リング内で固定される；
-可撓膜に接触したシーリングガスケット；
-ワッシャには、シーリングガスケットが取り付けられる；
-ワッシャは、ポリテトラフルオロエチレンでできている；および
-筋または相補的な筋は、連続的な要素の形状を有していてもよく、または、スタッドのような不連続的な要素の形状を有していてもよい。
【００１９】
超音波変換器が保護される本発明の別の実施形態では、ボディは、保護カバーの相補的な筋と協働する筋を有する。
【００２０】
超音波変換器を較正する段階を実行することが必要な本発明の別の実施形態では、ボディは、特に較正工程における使用に適した位置合わせシステムの相補的な筋と協働する筋を含む。
【００２１】
さらに、本発明は、本発明に係る超音波生成源を含む超音波処理装置（ultrasound treatment apparatus）を提案する。
【００２２】
本発明の実施形態を非限定的な例として示す添付図面を参照する以下の記載から、様々な他の特徴が明らかとなる。
【図面の簡単な説明】
【００２３】
【図１】図１は、本発明を具現化する超音波生成源の一実施形態の斜視図である。
【図２】図２は、本発明に係る超音波生成源の一実施形態の分解斜視図である。
【図３】図３は、図１に示す超音波生成源の平面断面IIIの立面図である。
【図４】図４は、本発明に係る超音波生成源の別の実施形態を示す斜視図である。
【図５】図５は、保護カバーが取り付けられる本発明に係る超音波生成源の一実施形態を示す分解斜視図である。
【図６】図６は、本発明に係るまたは位置合わせシステムを有するリングが取り付けられる超音波生成源の一実施形態を示す分解斜視図である。
【発明を実施するための形態】
【００２４】
図に見られるように、本発明は、生体組織の熱処理用の超音波を生成する源１に関する。源１は、より具体的には治療処置のために用いられるものであり、一般的な意味における治療を行う装置の一部を構成する。この装置は、図示していないが、公知であり、超音波によって生物の組織の処理を行うのに適している。有利な適用例では、治療用の源は、高密度焦点式超音波（ＨＩＦＵ）を生成する。他の適用例では、源は、音響衝撃波のような超音波圧力波を生成する。当然ながら、治療用の超音波を生成するこの源は、人体の解剖学的構造の超音波検査画像を生成するためのプローブに関連付けられてもよい。
【００２５】
超音波生成源１は、具体的には、変換器３を支持するボディ２を含み、変換器３は、１または複数の超音波放射器を有し、超音波放射器は、例えばピエゾ素子である。変換器３の超音波放射器は、増幅段を介して、超音波放射器を駆動する信号を送信する制御回路に接続される。そのような制御回路の作製は当業者の技術的知識の一部を構成するため、制御回路については詳細には記載しない。制御回路は、従来のとおり、増幅段を介して超音波放射器に接続された、制御信号生成器を含む。
【００２６】
その前方において、変換器３は、ボディ２に設けられた開口５に向かって面する超音波放射面４を有する。典型的には、ボディ２または筐体は、カラーまたは首部を有する筒状壁６を有するように設けられている。ボディの筒状壁６は、外側面６ｅと内側面６ｉの間で規定され、筒状壁６の端部には、開口５の内側部を規定する環状リム６ａが設けられている。
【００２７】
一般的には、放射面４は、実質的に開口５の中心を通る音波伝搬軸に対応する対称軸Ｘを有する。有利な変形実施形態では、放射面４は、集束形状を有する、すなわち、超音波放射器の制御のされ方によりまたは放射面の幾何形状により、生成された超音波が焦点領域において集束する。典型的には、放射面４は、半球形状、楕円形状またはトロイダル形状等のような凹形状を有する。当然ながら、放射面４は、例えば平面形状のような、凹形状ではない形状を有していてもよい。
【００２８】
超音波変換器３は、開口５に直接面して配置されている。典型的には、超音波変換器３は、開口５に、または、開口５から少し後退して、位置している。
【００２９】
本発明の生成源１の実施のされ方に応じて、生成源１は、機器の様々な部品または様々な装備品であって各々が特定の機能に適合したものを保持する。
【００３０】
源１が超音波を生成することに用いられるとき、超音波生成源１は、放射面４の前方に配置され超音波を透過させる材料でできた可撓膜８を含む。この可撓膜８は、放射面４と協働して冷却流体用の閉じ込めチャンバ１０を規定し、さらに、音波に暴露される媒体との音響結合機能を発揮するのに適している。典型的には、冷却流体は、波の伝搬を向上させるために前もってガス抜きされた水、または、超音波の吸収が小さい音響特性を有する複数の油から選択された油、に基づいた液体である。特許ＥＰ１０３８５５１に記載された液体を用いることも可能である。
【００３１】
閉じ込めチャンバ１０は、少なくとも１つの供給管１１を介して供給される冷却流体用の少なくとも１つの入口を含む。また、閉じ込めチャンバ１０は、出口管１２と連通した少なくとも１つの出口を有し、これにより閉じ込めチャンバの内側で流体が流れることが可能となる。
【００３２】
可撓膜８は、シリコン、ラテックス、ポリウレタン、または、膜の加熱に伴う音響エネルギー損失が低減するような音響吸収が小さい材料のような、任意の適切な材料でできている。
【００３３】
可撓膜８は、漏れ止め性を有しかつ取り外し可能または分離可能な固定システム１４によって、ボディ２に取り付けられる。固定システム１４により、可撓膜８を素早くかつ容易な態様で自在に交換でき、膜が交換された後には閉じ込めチャンバ１０がシールされる。
【００３４】
本発明によれば、固定システム１４は、分離可能な態様でボディ２に組み合わされる固定リング１５を備える。固定リング１５およびボディ２には、螺子組み合わせシステム１６，１７が設けられ、このシステム１６，１７は、固定リング１５をボディ２に螺子留めすることによって、可撓膜８を、ボディ２にシール態様で押圧された状態で固定する。
【００３５】
図２および３においてより詳細に見られるように、固定リング１５は、環状上壁１５ｄを有する環状体の形状を有し、環状上壁１５ｄは、その中央において、可撓膜８の一部、具体的には可撓膜の中央部８ａ用の、中央通路１９を規定する。可撓膜８および固定リング１５は、互いに独立した２つの部品である。典型的には、固定リング１５がボディ２に取り付けられたときに開口５と中央通路１９とが合致するように、中央通路１９は、開口５の領域に実質的に対応する領域を有する。
【００３６】
典型的には、中央通路１９は、円形の輪郭を有する。当然ながら、可撓膜８は、その中央部８ａが中央通路１９を通過しこれにより閉じ込めチャンバ１０を形成できるように、適合した形状を有するまたは変形可能である。可撓膜の中央部８ａの境界は、周縁部８ｂによって規定され、周縁部８ｂは、閉じ込めチャンバ１０をシールするようにボディ２と協働する。より正確には、可撓膜８の周縁部８ｂは、環状壁６の環状リム６ａを押圧するようになっている。
【００３７】
環状上壁１５ｄは、筒状スカート部１５ｊに対して直角に拡がり、筒状スカート部１５ｊは、内側面１５ｉを有し、固定リング１５がボディ２に取り付けられたときにボディ２の筒状壁６に面して拡がるようになっている。
【００３８】
固定リング１５とボディ２との間の螺子組み合わせシステム１６，１７は、任意の適切な態様で構成され得る。そのような螺子組み合わせシステムは、少なくとも１つの螺旋状のリブまたは筋１７であって少なくとも１つの相補的な螺旋状のリブまたは筋１６と協働するものを備える。筋１７は固定リング１５に設けられ相補的な筋１６はボディ２に設けられている、または、筋１７はボディ２に設けられ相補的な筋１６は固定リング１５に設けられている。筋１７または相補的な筋１６は、連続的な要素の形状（図２）を有していてもよく、または、スタッドまたはタブのような不連続的な要素の形状（図４）を有していてもよいことに留意されたい。螺子組み合わせシステム１６，１７は、複数の螺旋状の筋１７と、複数の相補的な螺旋状の筋１６と、を備えていてもよい。
【００３９】
図３に示す実施形態では、ボディ２、具体的には筒状壁６は、外面において、少なくとも１つの筋１７を有し、一方、固定リング１５には、螺子立て部（tapping）のような相補的な筋１６が設けられている。図４に示す例では、リングをボディに螺子留めするために、固定リング１５には、相補的な筋１６として機能し筋１７と協働する２つのスタッド１６が設けられている。スタッドは、固定リング１５の少なくとも１つの相補的な筋１６と協働するように、ボディ２の外側表面、具体的には筒状壁６に設けられ、筋１７として機能していてもよいことに留意されたい。
【００４０】
固定リング１５がボディ２に取り付けられるとき、可撓膜８の周縁部８ｂは、固定リング１５とボディ２の間、より具体的には固定リング１５と筒状壁６の間に挟まれる。固定リング１５をボディ２に螺子留めすることにより、可撓膜８は、ボディ２にシール態様で押圧された状態で固定される。例えば、可撓膜８は、その周縁部８ｂが筋１７から離れて配置されるような寸法を有する。
【００４１】
有利な実施形態の特徴によれば、固定リング１５は、固定リング１５に対して自由に回転するように取り付けられたワッシャ２１を有する。ワッシャ２１は、その中央部において、可撓膜の中央部８ａが通過する貫通孔２１ａを有する。貫通孔２１ａの領域は、環状上壁１５ｄ内の中央通路１９の領域に実質的に対応する、または、図示の例のように、環状上壁１５ｄ内の中央通路１９の領域よりも大きい。ワッシャ２１が取り付け位置にあるとき、その内側縁部は、固定リング１５の環状上壁１５ｄの内側縁部から後退した位置をとる。
【００４２】
ワッシャ２１は、環状上面２１ｅおよび環状下面２１ｉを含み、環状凹部２２の内側において固定リング１５内で固定される。環状凹部２２は、環状上壁１５ｄの内側面と、スカート部１５ｊの内側面１５ｉから突出したリブ１５ｎと、によって規定される。凹部２２は、Ｃ形状領域を呈する。ワッシャ２１が横方向に移動する自由は、一方側では、環状上面２１ｅが接触し得る環状上壁１５ｄの下面によって、他方側では、環状下面２１ｉが接触し得るリブ１５ｎによって、制限される。ワッシャ２１が半径方向に移動する自由は、スカート部１５ｊの内側面１５ｉによって制限される。リブ１５ｎは、螺子立て部１６によって構成されていてもよいことに留意されたい。ワッシャ２１および固定リング１５は、ワッシャの対称軸についての互いの旋回が自由な状態で、接続される。
【００４３】
有利な実施形態の特徴によれば、ワッシャ２１は、例えばポリテトラフルオロエチレン（ＰＴＦＥまたはテフロン）のような、引っ付かない性能が非常に大きい材料でできている。
【００４４】
ワッシャ２１および固定リング１５は、任意の適切な態様で組み合わせられ得る。１つのやり方（solution）は、公知の３次元プリント技術を用いて、ワッシャ２１を組み込んだ固定リング１５を作製することである。ワッシャ２１は、固定リング１５の内側において変形させられることによって配置されてもよい。
【００４５】
固定リング１５がボディ２における固定リング１５の取り付け位置にないとき、ワッシャ２１は固定リング１５に対して自由に回転することが理解されよう。換言すると、固定リング１５は、ワッシャ２１を回転させることなく静止させたまま、回転させられ得る。
【００４６】
固定リング１５を配置する前に、可撓膜８が、その周縁部８ｂが環状上壁６ａを覆うように配置されることに留意されたい。固定リング１５がボディ２に取り付けられ、ワッシャ２１が可撓膜８の周縁部８ｂにはまだ接触していないとき、可撓膜８の周縁部８ｂは、筒状壁６の環状リム６ａのみに接触する。固定リング１５が回転すると、リングおよびワッシャ２１の両方が一緒に回転する。ワッシャ２１が周縁部８ｂに接触するように配置されるに至ったとき、可撓膜８は、ワッシャ２１と、筒状壁６の環状リム６ａと、の間に挟まれる。筒状壁６の環状リム６ａおよび可撓膜８に対してワッシャ２１が静止して固定された状態で、固定リング１５は回転し続ける。
【００４７】
固定リング１５をボディ２に組み合わせる作業中に、固定リング１５は、ワッシャ２１を回転させることなく回転させられ、このため、ワッシャは、可撓膜８にしわをつけることなく可撓膜８を固定する。締め付けの最後には、固定リング１５は、ワッシャ２１が動かないよう環状上壁１５ｄを介して環状上面２１ｅに押し当て力（bearing force）を及ぼし、これにより筒状壁６の環状リム６ａに対して可撓膜８を押圧する。
【００４８】
固定リング１５がボディ２に螺子留めされたとき、ワッシャ２１は、膜に押圧力が及ぶよう横方向の動きの自由が制限された状態で、固定リング１５に取り付けられる。換言すると、ワッシャの環状上面２１ｅに押し当たるに至った環状上壁１５ｄの下面によって固定リング１５が締め付けられるとき、ワッシャ２１はその最終的な押圧位置をとる。当然ながら、固定リング１５の螺子締めのストロークは、筋１７のピッチと、環状上壁１５ｄの下面およびワッシャの環状上面２１ｅの間の隙間と、に依る。上述の半径方向の移動に関連付けられた横方向の移動によってスペースが生じ、そのスペースへと洗浄および汚染除去用の液体が入り込みその機能が汚染除去および殺菌の段階において発揮され得る。
【００４９】
ワッシャ２１は、可撓膜８に直接的に接触してもよく、あるいは、図示の例のように、ワッシャ２１は、環状リム６ａに押し当たる可撓膜８に押し当たる平坦または環状のシーリングガスケット２３を介して、可撓膜８に接触してもよいことに留意されたい。好ましい実施形態の例では、シーリングガスケット２３は、ワッシャ２１に取り付けられる。図３に見られるように、ワッシャ２１は、その環状下面２１ｉにおいて取り付け溝２１ｇを有し、取り付け溝２１ｇにシーリングガスケット２３が取り付けられる。
【００５０】
源１が超音波を生成するために使用されていないときは、固定リング１５は取り外され得る。固定リング１５がないとき、ボディ２は、超音波変換器３を保護する保護カバー３０を保持できる。図５に示すように、ボディ２は、筋１７であって固定リング１５がないときに保護カバー３０の相補的な筋１６と協働するもの、または、相補的な筋１６であって固定リング１５がないときに保護カバー３０の筋１７と協働するもの、を含む。保護カバー３０は、デザインの点では固定リング１５と似ているが、固定リング１５の中央通路１９を閉鎖する閉鎖壁３１をさらに含む。保護カバー３０は、ボディ２の筒状壁６に螺子留めされ、これにより、超音波変換器３を、その不使用時において保護する。
【００５１】
固定リング１５および保護カバー３０がないとき、ボディ２は、位置合わせシステムを保持できる。位置合わせシステムは、特に、較正工程における使用に適している。較正工程において、固定リング１５に類似しており位置合わせシステム３６が取り付けられたリング３５が用いられる。例えば、位置合わせシステム３６はアーム３７を有し、アーム３７はリングによって支持され、アーム３７の端部にはセンサ３８が取り付けられ、センサ３８は、変換器によって生成された音響圧力を測定する、または、超音波変換器３の超音波伝搬軸Ｘもしくは焦点領域を視覚化する。ボディ２は、固定リング１５および保護カバー３０がないときに位置合わせシステム３６が取り付けられたリング３５の相補的な筋１６と協働する筋１７を含む、または、固定リング１５および保護カバー３０がないときに位置合わせシステム３６が取り付けられたリング３５の筋１７と協働する相補的な筋１６を含む。得られたボディ２との機械的な接続、つまるところ超音波変換器３との接続により、放射面４の音響軸Ｘまたは焦点領域上へのセンサ３８の位置合わせを、音響軸Ｘにおける圧力を測定するために、音響軸Ｘの位置を与えるために、または、焦点領域の位置を与えるために、行うことが可能となる。
【００５２】
上述の説明から、超音波生成源１の使用に応じ、源、具体的にはそのボディの筒状壁６は、可撓膜８を固定する固定リング１５、保護カバー３０、または、位置合わせシステム３６が取り付けられたリング３５、のいずれかを取り付けるのに螺子留めを用いることに適合されていることが理解されよう。取り付けまたは取り外しの作業の実行は非常に簡単であり、超音波変換器３が損傷するリスクはない。
【００５３】
本発明は、本発明に係る生成源１を備え、さらに、装備品として、可撓膜を固定する固定リング１５、保護カバー３０、および／または、位置合わせシステム３６が取り付けられたリング３５を備え、各装備品は、生成源のボディの筒状壁６の筋１７と協働する相補的な筋１６を有する、超音波を生成する組み合わせ体を提案する。
【００５４】
本発明は、説明し図示した例に限定されない。なぜなら、本発明の範囲を逸脱することなく、様々な変更を上記例に適用できるためである。
【図１】
2019162414.tif 000003
【図２】
2019162414.tif 000004
【図３】
2019162414.tif 000005
【図４】
2019162414.tif 000006
【図５】
2019162414.tif 000007
【図６】
2019162414.tif 000008
【外国語明細書】
2019162414000001.pdf